(57)【特許請求の範囲】
【請求項１】
デジタルテレビ放送の信号と同時に、コンテンツおよび制御情報を含む信号を送信するマルチチャネル送信器と、
前記マルチチャネル送信器から出力された信号を受信するマルチチャネル受信器を備え、
前記マルチチャネル受信器は、
前記受信した信号に含まれるデジタルテレビ放送の信号から指定されたチャネルの信号を出力するチューナと、
前記受信した信号に含まれるコンテンツを記憶する記憶部と、
前記受信した信号に含まれる制御情報に基づいて、前記チューナを制御するとともに、
前記チューナから出力される信号および前記記憶部に記憶されたコンテンツの視聴装置への出力を制御する制御部とを含み、
前記記憶部は、受信した複数のコンテンツを記憶し、
前記制御情報は、時間帯ごとに、複数チャネルのデジタルテレビ放送の指定されたチャネルの信号を出力する、または前記記憶部に記憶された複数のコンテンツのうち指定されたコンテンツを出力する、または複数チャネルのデジタルテレビ放送の指定されたチャネルの信号と前記複数のコンテンツのうち指定されたコンテンツとを同時に出力することを定めたタイムテーブルを含み、
前記制御部は、前記タイムテーブルに基づいて、前記チューナに前記指定されたチャネルの信号を出力させて、前記出力された信号を前記視聴装置へ出力し、または前記記憶部に記憶された複数のコンテンツから指定されたコンテンツを選択して読み出して前記視聴装置へ出力し、または前記チューナに前記指定されたチャネルの信号を出力させるとともに前記記憶部に記憶されている複数のコンテンツから指定されたコンテンツを選択して読み出して前記チューナから出力される信号と前記読み出したコンテンツとを同時に前記視聴装置へ出力する、マルチチャネル放送システム。
【請求項２】
デジタルテレビ放送の信号と同時に、コンテンツおよび制御情報を含む信号を送信するマルチチャネル送信器と、
前記マルチチャネル送信器から出力された信号を受信するマルチチャネル受信器を備え、
前記マルチチャネル受信器は、
前記受信した信号に含まれるデジタルテレビ放送の信号から指定されたチャネルの信号を出力するチューナと、
前記受信した信号に含まれるコンテンツを記憶する記憶部と、
前記受信した信号に含まれる制御情報に基づいて、前記チューナを制御するとともに、前記チューナから出力される信号および前記記憶部に記憶されたコンテンツの視聴装置への出力を制御する制御部とを含み、
前記マルチチャネル放送システムは、
前記マルチチャネル受信器を複数個備え、
前記制御情報および前記コンテンツは、前記複数個のマルチチャネル受信器のうち宛先のマルチチャネル受信器を指定するアドレスを付して送信され、
前記制御部は、受信したコンテンツに付されたアドレスが、前記制御部が含まれるマルチチャネル受信器のアドレスの場合に、前記受信したコンテンツを前記記憶部に記憶し、
前記制御部は、受信した制御情報に付されたアドレスが、前記制御部が含まれるマルチチャネル受信器のアドレスの場合に、前記制御情報に含まれる命令を実行する、マルチチャネル放送システム。
【請求項３】
前記制御情報の内容は、マルチチャネル受信器ごとに相違する、請求項２記載のマルチチャネル放送システム。
【請求項４】
前記制御部は、前記デジタルテレビ放送の信号に緊急通知を指示する命令が含まれている場合には、前記チューナから出力される緊急通知に関連する信号を前記視聴装置へ出力する、請求項１または２に記載のマルチチャネル放送システム。
【請求項５】
前記コンテンツは、電子広告である、請求項１または２に記載のマルチチャネル放送システム。
【請求項６】
前記マルチチャネル送信器は、
前記デジタルテレビ放送の信号と、前記コンテンツおよび前記制御情報を含む信号をミリ波帯の信号に変換して送信するミリ波送信器を含み、
前記マルチチャネル受信器は、
前記マルチチャネル送信器から出力されたミリ波帯の信号を受信して、前記ミリ波帯へ変換前の周波数の信号に変換するミリ波受信器を含む、請求項１または２に記載のマルチチャネル放送システム。
【請求項７】
前記マルチチャネル送信器は、前記デジタルテレビ放送の信号と、前記コンテンツおよび前記制御情報を含む信号を同軸ケーブルに出力し、前記同軸ケーブルが前記出力された信号を伝送し、
前記マルチチャネル受信器は、前記同軸ケーブルで伝送された前記コンテンツおよび前記制御情報を含む信号を受信する、請求項１または２に記載のマルチチャネル放送システム。
【発明の詳細な説明】
【技術分野】
【０００１】
本発明は、マルチチャネル放送システムに関する。
【背景技術】
【０００２】
デジタルサイネージ（Digital Signage＝電子看板）などのコンテンツをデジタル放送波にのせて送信するシステムが提案されている。
【０００３】
たとえば、特許文献１（特開２０１０−２１９００号公報）のシステムでは、デジタルサイネージと、デジタルサイネージにコンテンツおよび制御情報を送信する情報送信手段を備える。デジタルサイネージは、地上波デジタル放送波を受信する手段を備え、情報送信手段が、デジタルサイネージ向けのコンテンツおよび制御情報を地上デジタル放送波にのせて放送する。
【０００４】
特許文献１のシステムでは、上記構成によって、複数のデジタルサイネージ端末に対して、ネットワークを経由せずに、コンテンツおよび制御情報を送信することができるので、通信コストを低減することができる。
【先行技術文献】
【特許文献】
【０００５】
【特許文献１】特開２０１０−２１９００号公報
【発明の概要】
【発明が解決しようとする課題】
【０００６】
しかしながら、特許文献１に記載のシステムでは、制御情報は、コンテンツの表示を制御するものであって、デジタルＴＶ放送に含まれる映像の表示を制御することができず、デジタルＴＶ放送に含まれる映像とコンテンツとを同時に制御することもできない。
【０００７】
それゆえに、本発明の目的は、コンテンツとともにデジタルテレビ放送の視聴装置への出力を制御することができるマルチチャネル放送システムを提供することである。
【課題を解決するための手段】
【０００８】
上記課題を解決するために、本発明のマルチチャネル放送システムは、デジタルテレビ放送の信号と同時に、コンテンツおよび制御情報を含む信号を送信するマルチチャネル送信器と、マルチチャネル送信器から出力された信号を受信するマルチチャネル受信器を備える。マルチチャネル受信器は、受信した信号に含まれるデジタルテレビ放送の信号から指定されたチャネルの信号を出力するチューナと、受信した信号に含まれるコンテンツを記憶する記憶部と、受信した信号に含まれる制御情報に基づいて、チューナを制御するとともに、チューナから出力される信号および記憶部に記憶されたコンテンツの視聴装置への出力を制御する制御部とを含む。
【０００９】
好ましくは、制御情報は、複数チャネルのデジタルテレビ放送のうち指定されたチャネルの信号を出力する命令を含み、制御部は、命令に基づいて、チューナに指定されたチャネルの信号を出力させ、出力された信号を視聴装置へ出力する。
【００１０】
好ましくは、記憶部は、受信した複数のコンテンツを記憶し、制御情報は、記憶部に記憶された複数のコンテンツのうち指定されたコンテンツを出力する命令を含み、制御部は、命令に基づいて、記憶部に記憶されている複数のコンテンツから指定されたコンテンツを選択して読み出して視聴装置へ出力する。
【００１１】
好ましくは、記憶部は、受信した複数のコンテンツを記憶し、制御情報は、複数チャネルのデジタルテレビ放送のうち指定されたチャネルの信号と、記憶部に記憶された複数のコンテンツのうち指定されたコンテンツとを同時に出力する命令を含み、制御部は、命令に基づいて、チューナに指定されたチャネルの信号を出力させるとともに、記憶部に記憶されている複数のコンテンツから指定されたコンテンツを選択して読出し、チューナから出力される信号と選択したコンテンツとを同時に視聴装置へ出力する。
【００１２】
好ましくは、記憶部は、受信した複数のコンテンツを記憶し、制御情報は、複数チャネルのデジタルテレビ放送のうち指定されたチャネルの信号と、記憶部に記憶された複数のコンテンツのうち指定されたコンテンツとを時間的に切り替えて出力する命令を含み、制御部は、命令に基づいて、チューナに指定されたチャネルの信号を出力させて、出力された信号を視聴装置へ出力するか、記憶部に記憶されている複数のコンテンツから指定されたコンテンツを選択して読み出して視聴装置へ出力するかを時間的に切り替える。
【００１３】
好ましくは、記憶部は、受信した複数のコンテンツを記憶し、制御情報は、時間帯ごとに、複数チャネルのデジタルテレビ放送の指定されたチャネルの信号を出力する、または記憶部に記憶された複数のコンテンツのうち指定されたコンテンツを出力する、または複数チャネルのデジタルテレビ放送の指定されたチャネルの信号と複数のコンテンツのうち指定されたコンテンツとを同時に出力することを定めたタイムテーブルを含み、制御部は、タイムテーブルに基づいて、チューナに指定されたチャネルの信号を出力させて、出力された信号を視聴装置へ出力し、または記憶部に記憶された複数のコンテンツから指定されたコンテンツを選択して読み出して視聴装置へ出力し、またはチューナに指定されたチャネルの信号を出力させるとともに記憶部に記憶されている複数のコンテンツから指定されたコンテンツを選択して読み出してチューナから出力される信号と読み出したコンテンツとを同時に視聴装置へ出力する。
【００１４】
好ましくは、制御部は、デジタルテレビ放送の信号に緊急通知を指示する命令が含まれている場合には、チューナから出力される緊急通知に関連する信号を視聴装置へ出力する。
【００１５】
好ましくは、マルチチャネル放送システムは、マルチチャネル受信器を複数個備え、制御情報およびコンテンツは、複数個のマルチチャネル受信器のうち宛先のマルチチャネル受信器を指定するアドレスを付して送信され、制御部は、受信したコンテンツに付されたアドレスが、制御部が含まれるマルチチャネル受信器のアドレスの場合に、受信したコンテンツを記憶部に記憶し、制御部は、受信した制御情報に付されたアドレスが、制御部が含まれるマルチチャネル受信器のアドレスの場合に、制御情報に含まれる命令を実行する。
【００１６】
好ましくは、制御情報の内容は、マルチチャネル受信器ごとに相違する。
好ましくは、コンテンツは、電子広告である。
【００１７】
好ましくは、マルチチャネル送信器は、デジタルテレビ放送の信号と、コンテンツおよび制御情報を含む信号をミリ波帯の信号に変換して送信するミリ波送信器を含み、マルチチャネル受信器は、マルチチャネル送信器から出力されたミリ波帯の信号を受信して、ミリ波帯へ変換前の周波数の信号に変換するミリ波受信器を含む。
【００１８】
好ましくは、マルチチャネル送信器は、デジタルテレビ放送の信号と、コンテンツおよび制御情報を含む信号を同軸ケーブルに出力し、同軸ケーブルが出力された信号を伝送し、マルチチャネル受信器は、同軸ケーブルで伝送されたコンテンツおよび制御情報を含む信号を受信する。
【発明の効果】
【００１９】
本発明によれば、コンテンツとともにＴＶ放送の表示を制御することができる。
【図面の簡単な説明】
【００２０】
【図１】第１の実施形態のマルチチャネル通信システムの構成を表わす図である。
【図２】第１の実施形態で伝送されるコマンドの構成を表わす図である。
【図３】（ａ）は、画像コマンドの例を表わす図である。（ｂ）は、制御コマンドの例を表わす図である。
【図４】（ａ）は、制御コマンドの例を表わす図である。（ｂ）は、（ａ）の制御コマンドによって表示される画面の例を表わす図である。
【図５】（ａ）は、制御コマンドの例を表わす図である。（ｂ）は、（ａ）の制御コマンドによって表示される画面の例を表わす図である。
【図６】（ａ）は、制御コマンドの例を表わす図である。（ｂ）は、（ａ）の制御コマンドによって表示される画面の例を表わす図である。
【図７】（ａ）は、制御コマンドの例を表わす図である。（ｂ）は、（ａ）の制御コマンドによって表示される画面の例を表わす図である。
【図８】（ａ）は、制御コマンドの例を表わす図である。（ｂ）は、（ａ）の制御コマンドに含まれるタイムテーブル＃１を表わす図である。（ｃ）は、（ａ）の制御コマンドによって表示される画面の例を表わす図である。
【図９】第１の実施形態の変形例のマルチチャネル通信システムの構成を表わす図である。
【図１０】第２の実施形態のマルチチャネル通信システムの構成を表わす図である。
【図１１】第２の実施形態で伝送されるコマンドの構成を表わす図である。
【図１２】（ａ）は、画像コマンドの例を表わす図である。（ｂ）は、制御コマンドの例を表わす図である。（ｃ）は、画像コマンドの例を表わす図である。
【図１３】（ａ）は、マルチチャネル受信器＃１への制御コマンドを表わす図である。（ｂ）は、マルチチャネル受信器＃２への制御コマンドを表わす図である。（ｃ）は、マルチチャネル受信器＃３への制御コマンドを表わす図である。（ｄ）は、マルチチャネル受信器＃４への制御コマンドを表わす図である。
【図１４】図１３（ａ）、（ｂ）、（ｃ）、（ｄ）の制御コマンドによってマルチチャネル受信器＃１、マルチチャネル受信器＃２、マルチチャネル受信器＃３、マルチチャネル受信器＃４に表示される画面の例を表わす図である。
【図１５】第３の実施形態のマルチチャネル通信システムの構成を表わす図である。
【図１６】（ａ）は、緊急通知を受ける前に表示される画面の例を表わす図である。（ｂ）は、緊急通知を受けた後に表示される画面の例を表わす図である。
【発明を実施するための形態】
【００２１】
以下、本発明の実施形態について図面を参照して説明する。なお、同一または相当する部分には、同一の参照符号を付して、その説明を繰り返さない。
【００２２】
［第１の実施形態］
図１は、第１の実施形態のマルチチャネル通信システムの構成を表わす図である。
【００２３】
このマルチチャネル通信システム３３は、マルチチャネル送信器３４と、マルチチャネル受信器３７とからなる。
【００２４】
マルチチャネル送信器３４は、サイネージサーバ５と、送信部３６とから構成される。
サイネージサーバ５は、サイネージ画像作成記憶部７と、制御情報作成記憶部９と、送信制御部８とを備える。
【００２５】
サイネージ画像作成記憶部７は、コンテンツであるサイネージ画像（電子広告）データを作成して記憶する。サイネージ画像作成記憶部７は、インターネット２を介して外部のコンテンツサーバ１内のコンテンツを取得し、これを利用することによってサイネージ画像データを作成することができる。
【００２６】
制御情報作成記憶部９は、制御情報を作成して記憶する。
送信制御部８は、制御情報を含む制御コマンドおよび／またはサイネージ画像データを含む画像コマンドを含むイーサネット（登録商標）フレームを適切なタイミングでイーサネット（登録商標）ケーブル９６を介して送信部３６へ出力する。たとえば、送信制御部８は、ユーザからのマウスによる指示によって、即座に制御コマンドを出力することとしてもよい。
【００２７】
送信部３６は、イーサネット（登録商標）フレームフィルタリング部１０と、変調器１１と、混合器１３と、ミリ波送信器３２とを備える。
【００２８】
イーサネット（登録商標）フレームフィルタリング部１０は、サイネージサーバ５から出力されるイーサネット（登録商標）フレームから制御コマンドおよび／または画像コマンドを取り出す。
【００２９】
変調器１１は、たとえばＱＡＭ（Quadrature Amplitude Modulation）変調などの方式で、サイネージ画像データが含まれるコマンド（画像コマンド）および制御情報が含まれるコマンド（制御コマンド）が含まれるデータを変調し、デジタルテレビ放送の空いているチャネル（周波数）の信号に変換する。
【００３０】
混合器１３は、放送局１４からの複数チャネルのデジタルＴＶ放送信号と、変調器１１からの信号を混合し、ミリ波送信器３２へ出力する。
【００３１】
ミリ波送信器３２は、複数チャネルのデジタルＴＶ放送信号をミリ波帯（たとえば、６０ＧＨｚ）の信号に変換して送信する。ミリ波送信器３２は、変調器１１からの出力があるときには、複数チャネルのデジタルＴＶ放送信号と、画像コマンドおよび制御コマンドが含まれる信号とをミリ波帯（たとえば、６０ＧＨｚ）の信号に変換して送信する。本発明の実施形態では、このように多量のデータを伝送することができるミリ波帯で信号を伝送するので、複数チャネルのデジタルＴＶ放送の信号と、画像コマンドおよび制御コマンドを含む信号とを同時に送信することができる。
【００３２】
マルチチャネル受信器３７は、ミリ波受信器３５と、分波器１６と、チューナ１７と、復調器２０と、画像データ記憶部２１と、制御情報記憶部１８と、制御部１９と、映像合成部２２と、モニタ４２とを備える。
【００３３】
ミリ波受信器３５は、マルチチャネル送信器３４から出力されるミリ波帯の信号を受信して、ミリ波帯へ変換される前の周波数の信号に変換して分波器１６へ出力する。
【００３４】
分波器１６は、ミリ波受信器３５で受信し、変換された信号を分配する。
チューナ１７は、分波器１６から出力される信号に含まれる複数チャネルのＴＶ放送信号のうち、制御データ記憶部に記憶された制御データに基づいて、指定されたチャネルのＴＶ放送信号を出力する。
【００３５】
復調器２０は、分波器１６から出力される信号に含まれる変調された、画像コマンドおよび制御コマンドが含まれる信号を復調し、デジタル信号に変換する。
【００３６】
画像データ記憶部２１は、復調部から出力される画像コマンドに含まれるサイネージ画像データを記憶する。
【００３７】
制御情報記憶部１８は、復調部から出力される制御コマンドに含まれる制御情報を記憶する。
【００３８】
制御部１９は、制御情報記憶部１８に記憶された制御情報に基づいて、チューナ１７を制御するとともに、チューナ１７から出力される信号および画像データ記憶部２１に記憶されたサイネージ画像データのモニタ４２への出力を制御する。
【００３９】
映像合成部２２は、チューナ１７から出力される信号と、画像データ記憶部２１から出力されるサイネージ画像データを受けて、いずれか１つ、または両方同時にモニタ４２に出力する。
【００４０】
モニタ４２は、視聴装置であって、映像合成部２２から出力されるチューナ１７の出力信号と、および／またはサイネージ画像データを表示する。
【００４１】
（コマンド）
図２は、第１の実施形態で伝送されるコマンドの構成を表わす図である。
【００４２】
図２に示すように、このコマンドは、画像データまたは制御情報の区別を表わす識別子と、画像データまたは制御情報とを含む。
【００４３】
（画像コマンドの例）
図３（ａ）は、画像コマンドの例を表わす図である。
【００４４】
図３（ａ）に示すように、この画像コマンドは、画像データであることを表わす識別子と、画像データとしてサイネージ画像データ＃７とを含む。
【００４５】
制御部１９は、画像データを表わす識別子に従って、この画像コマンドに含まれるサイネージ画像データ＃７を画像データ記憶部２１に記憶する。
【００４６】
（制御コマンドの例）
図３（ｂ）は、制御コマンドの例を表わす図である。
【００４７】
図３（ｂ）に示すように、この制御コマンドは、制御情報であることを表わす識別子と、制御情報として「デジタルＴＶ放送チャネル＃２を出力する命令」を含む。
【００４８】
制御部１９は、制御情報を表わす識別子に従って、この制御コマンドに含まれる制御情報である「デジタルＴＶ放送チャネル＃２を出力する命令」を制御情報記憶部１８に記憶する。
【００４９】
（制御の例１）
図４（ａ）は、制御コマンドの例を表わす図である。
【００５０】
この制御コマンドは、制御情報であることを表わす識別子と、制御情報として「デジタルＴＶ放送のチャネル＃６を出力する命令」を含む。
【００５１】
制御部１９は、制御情報を表わす識別子に従って、この制御情報に含まれる命令を制御情報記憶部１８に記憶する。制御部１９は、この命令に基づいて、チューナ１７にチャネル＃６の信号を出力させ、映像合成部２２を介して出力されたチューナ１７の出力信号をモニタ４２に出力させる。
【００５２】
図４（ｂ）は、図４（ａ）の制御コマンドによって表示される画面の例を表わす図である。
【００５３】
（制御の例２）
図５（ａ）は、制御コマンドの例を表わす図である。
【００５４】
この制御コマンドは、制御情報であることを表わす識別子と、制御情報として「サイネージ画像＃４を出力する命令」を含む。
【００５５】
制御部１９は、制御情報を表わす識別子に従って、この制御情報に含まれる命令を制御情報記憶部１８に記憶する。制御部１９は、この命令に基づいて、画像データ記憶部２１に記憶されている複数のサイネージ画像データの中からサイネージ画像データ＃４を選択して読み出して、映像合成部２２を介してモニタ４２に出力させる。
【００５６】
図５（ｂ）は、図５（ａ）の制御コマンドによって表示される画面の例を表わす図である。
【００５７】
（制御の例３）
図６（ａ）は、制御コマンドの例を表わす図である。
【００５８】
この制御コマンドは、制御情報であることを表わす識別子と、制御情報として「デジタルＴＶ放送のチャネル＃３とサイネージ画像＃３を同時に出力する命令」を含む。
【００５９】
制御部１９は、制御情報を表わす識別子に従って、この制御情報に含まれる命令を制御情報記憶部１８に記憶する。制御部１９は、この命令に基づいて、チューナ１７にチャネル＃３の信号を出力させるとともに、画像データ記憶部２１に記憶されている複数のサイネージ画像データから「サイネージ画像データ＃３」を選択して読み出し、映像合成部２２によってチューナ１７から出力される信号と画像データ記憶部２１から読み出されたサイネージ画像データとが合成されて同時にモニタ４２に出力される。たとえば、デジタルＴＶ放送のチャネル＃３として、スポーツ番組のチャネルを用い、サイネージ画像＃３としてスポーツ用品やイベントに関するサイネージ画像を用いることにすれば、聴衆の注意を引くことができ、宣伝効果を増すことができる。
【００６０】
図６（ｂ）は、図６（ａ）の制御コマンドによって表示される画面の例を表わす図である。
【００６１】
（制御の例４）
図７（ａ）は、制御コマンドの例を表わす図である。
【００６２】
この制御コマンドは、制御情報であることを表わす識別子と、制御情報として「デジタルＴＶ放送のチャネル＃３とサイネージ画像＃３を１０分ごとに切替えて出力する命令」を含む。
【００６３】
制御部１９は、この制御情報に含まれる命令に基づいて、チューナ１７にチャネル＃３の信号を出力させて、その信号をモニタ４２へ出力させる処理と、画像データ記憶部２１に記憶されている複数のサイネージ画像データから「サイネージ画像データ＃３」を選択して読み出してモニタ４２へ出力する処理とを１０分ごとに切替える。
【００６４】
図７（ｂ）は、図７（ａ）の制御コマンドによって表示される画面の例を表わす図である。
【００６５】
（制御の例５）
図８（ａ）は、制御コマンドの例を表わす図である。
【００６６】
この制御コマンドは、制御情報であることを表わす識別子と、制御情報として「タイムテーブル＃１」を含む。
【００６７】
図８（ｂ）は、図８（ａ）の制御コマンドに含まれるタイムテーブル＃１を表わす図である。
【００６８】
「１０：００〜１１：００」の時間帯には、「デジタルＴＶ放送のチャネル＃２」を出力し、「１１：００〜１２：００」の時間帯には、「デジタルＴＶ放送のチャネル＃６」を出力し、「１２：００〜１３：００」の時間帯には、「サイネージ画像＃４」を出力し、「１３：００−１４：００」の時間帯には、「サイネージ画像＃６」を出力し、「１４：００〜１５：００」の時間帯には、「デジタルＴＶ放送のチャネル＃３とサイネージ画像＃３」を同時に出力することが定められている。
【００６９】
制御部１９は、この制御情報に含まれるタイムテーブルに基づいて、「１０：００〜１１：００」の時間帯には、チューナ１７にチャネル＃２の信号を出力させ、映像合成部２２を介して出力された信号をモニタ４２に出力させる。
【００７０】
制御部１９は、「１１：００〜１２：００」の時間帯には、チューナ１７にチャネル＃６の信号を出力させ、映像合成部２２を介して出力された信号をモニタ４２に出力させる。
【００７１】
制御部１９は、「１２：００〜１３：００」の時間帯には、画像データ記憶部２１に記憶されている複数のサイネージ画像データの中からサイネージ画像データ＃４を選択して読み出して、映像合成部２２を介してモニタ４２に出力させる。
【００７２】
制御部１９は、「１３：００−１４：００」の時間帯には、画像データ記憶部２１に記憶されている複数のサイネージ画像データの中からサイネージ画像データ＃６を選択して読み出して、映像合成部２２を介してモニタ４２に出力させる。
【００７３】
制御部１９は、「１４：００〜１５：００」の時間帯には、チューナ１７にチャネル＃３の信号を出力させるとともに、画像データ記憶部２１に記憶されている複数のサイネージ画像データから「サイネージ画像データ＃３」を選択して読み出し、映像合成部２２によってチューナ１７から出力される信号と画像データ記憶部２１から読み出されたサイネージ画像データとが合成されて同時にモニタ４２へ出力される。
【００７４】
図８（ｃ）は、図８（ａ）の制御コマンドによって表示される画面の例を表わす図である。
【００７５】
（まとめ）
以上のように、本実施の形態によれば、デジタルＴＶ放送の信号とともに、サイネージ画像と、これらの表示を制御する制御情報を受信器へ送信することによって、受信器では、サイネージ画像とともにデジタルＴＶ放送のモニタへの出力を時間的に切替えたり、同時に出力したりすることができる。
【００７６】
［第１の実施形態の変形例］
図９は、第１の実施形態の変形例のマルチチャネル通信システムの構成を表わす図である。
【００７７】
この変形例のマルチチャネル通信システムは、マルチチャネル送信器３４とマルチチャネル受信器３７との間は、同軸ケーブル４０で接続される。
【００７８】
送信器１２は、複数チャネルのデジタルＴＶ放送信号を同軸ケーブルを通じて送信する。送信器１２は、変調器１１からの出力があるときには、複数チャネルのデジタルＴＶ放送信号と、画像コマンドおよび制御コマンドが含まれる信号とを同軸ケーブル４０に出力する。同軸ケーブル４０は、送信器１２から出力された信号を伝送する。
【００７９】
受信器４５は、同軸ケーブル４０で伝送されたマルチチャネル送信器３４から出力された信号を受信して、分波器１６へ出力する。
【００８０】
以上のように、この変形例においても、同軸ケーブルによって大容量のデータを伝送することができるので、第１の実施形態と同様に、受信器では、サイネージ画像とともにデジタルＴＶ放送の出力を時間的に切替えたり、同時に出力したりすることができる。
【００８１】
［第２の実施形態］
図１０は、第２の実施形態のマルチチャネル通信システムの構成を表わす図である。
【００８２】
図１０を参照して、このマルチチャネル通信システムは、複数のマルチチャネル受信器＃１〜＃４（３７−１〜３７−４）を有する。各マルチチャネル受信器＃１〜＃４（３７−１〜３７−４）は、アドレスによって指定される。
【００８３】
（コマンド）
図１１は、第２の実施形態で伝送されるコマンドの構成を表わす図である。
【００８４】
図１１に示すように、このコマンドは、宛先受信器アドレスと、画像データまたは制御情報の区別を表わす識別子と、画像データまたは制御情報とを含む。
【００８５】
各マルチチャネル受信器の制御部１９は、受信した画像コマンドの宛先受信器アドレスが、その制御部１９が含まれるマルチチャネル受信器のアドレスの場合に、受信した画像コマンドに含まれる画像データ（サイネージ画像データ）を画像データ記憶部２１に記憶する。
【００８６】
各マルチチャネル受信器の制御部１９は、受信した制御コマンドの宛先受信器アドレスが、その制御部１９が含まれるマルチチャネル受信器のアドレスの場合に、受信した制御コマンドに含まれる制御情報を制御情報記憶部１８に記憶し、この制御情報に含まれる命令を実行する。
【００８７】
（画像コマンドの例）
図１２（ａ）は、画像コマンドの例を表わす図である。
【００８８】
図１２（ａ）に示すように、この画像コマンドは、宛先受信器アドレスとしてマルチチャネル受信器＃１のアドレスを含み、画像データであることを表わす識別子と、画像データとしてサイネージ画像データ＃１とを含む。
【００８９】
マルチチャネル＃１の制御部１９は、宛先受信器アドレスと画像データを表わす識別子に従って、この画像コマンドに含まれるサイネージ画像データ＃１を画像データ記憶部２１に記憶する。
【００９０】
（制御コマンドの例）
図１２（ｂ）は、制御コマンドの例を表わす図である。
【００９１】
図１２（ｂ）に示すように、この制御コマンドは、宛先受信器アドレスとして受信器＃２のアドレスを含み、制御情報であることを表わす識別子と、制御情報として「デジタルＴＶ放送チャネル＃２を出力する命令」を含む。
【００９２】
マルチチャネル＃２の制御部１９は、宛先受信器アドレスと制御情報を表わす識別子に従って、この制御コマンドに含まれる「デジタルＴＶ放送チャネル＃２を出力する命令」を制御情報記憶部１８に記憶し、この命令を実行する。
【００９３】
（画像コマンドの例２）
図１２（ｃ）は、画像コマンドの例を表わす図である。
【００９４】
図１２（ｃ）に示すように、この画像コマンドは、宛先受信器アドレスとしてブロードキャストアドレスを含み、画像データであることを表わす識別子と、画像データとしてサイネージ画像データ＃１とを含む。
【００９５】
マルチチャネル送信器３４と接続されるすべてのマルチチャネル受信器の制御部１９は、宛先受信器アドレスと制御情報を表わす識別子に従って、この画像コマンドに含まれるサイネージ画像データ＃１を画像データ記憶部２１に記憶する。
【００９６】
（制御の例）
図１３（ａ）は、マルチチャネル受信器＃１への制御コマンドを表わす図であり、図１３（ｂ）は、マルチチャネル受信器＃２への制御コマンドを表わす図であり、図１３（ｃ）は、マルチチャネル受信器＃３への制御コマンドを表わす図であり、図１３（ｄ）は、マルチチャネル受信器＃４への制御コマンドを表わす図である。
【００９７】
すなわち、マルチチャネル受信器＃１への命令は、「デジタルＴＶ放送チャネル＃４を出力する命令」であり、マルチチャネル受信器＃２への命令は、「サイネージ画像＃２を出力する命令」であり、マルチチャネル受信器＃３への命令は、「サイネージ画像＃４を出力する命令」であり、マルチチャネル受信器＃４への命令は、「デジタルＴＶ放送チャネル＃６とサイネージ画像＃２を同時に出力する命令」である。
【００９８】
図１４は、図１３（ａ）、（ｂ）、（ｃ）、（ｄ）の制御コマンドによってマルチチャネル受信器＃１、マルチチャネル受信器＃２、マルチチャネル受信器＃３、マルチチャネル受信器＃４に表示される画面の例を表わす図である。
【００９９】
以上のように、第２の実施形態では、制御情報およびサイネージ画像に宛先を付して送信するので、マルチチャネル受信器ごとに別々の画面を表示させることができる。
【０１００】
［第３の実施形態］
図１５は、第３の実施形態のマルチチャネル通信システムの構成を表わす図である。
【０１０１】
図１５を参照して、このマルチチャネル通信システムが、図１のマルチチャネル通信システムと相違する点は、チューナ５３と、制御部５２である。
【０１０２】
チューナ５３は、デジタルテレビ放送の信号に緊急通知を指示するフラグ（命令）が含まれている場合には、制御部５２に緊急指示を送るとともに、選択されているチャネルの信号に代えて、緊急通知に関連する信号を出力する。
【０１０３】
制御部５２は、緊急指示を受けると、映像合成部２２を制御して、チューナ５３から出力される緊急通知に関連する信号をモニタ４２に出力させる。
【０１０４】
図１６（ａ）は、緊急通知を受ける前に表示される画面の例を表わす図である。図１６（ｂ）は、緊急通知を受けた後に表示される画面の例を表わす図である。
【０１０５】
図１６（ａ）、（ｂ）に示すように、緊急通知を受ける前には、サイネージ画像＃６の画面を表示していたが、緊急通知を受けたことによって、チューナ５３から出力される緊急表示に関連する緊急放送画面を表示する。
【０１０６】
以上のように、第３の実施形態によれば、デジタルＴＶ放送に緊急通知指令が含まれている場合には、サイネージ画像を表示していたときにでも、強制的にチューナから出力される緊急放送画面をモニタに出力させることができる。
【０１０７】
（さらなる変形例）
本発明は、上記の実施形態およびその変形例に限定されるものではなく、さらに以下のような変形例も含む。
【０１０８】
（１）  コンテンツ
本発明の実施形態では、コンテンツとしてサイネージ画像を送信することとしたが、これに表示するものではない。たとえば、火災や地震などの災害の防災情報をコンテンツとして送信するものとしてもよい。また、画像データだけでなく、画像データに付随する音声データも、コンテンツとして送信することとしてもよい。
【０１０９】
（２）  双方向
本発明の実施形態では、通信は、単一の方向であったが、双方向とすることもできる。その場合、マルチチャネル送信器３４が、新たな受信器を備え、マルチチャネル受信器３７が、新たな送信器を備える構成となる。
【０１１０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１１】
１  コンテンツサーバ、２  インターネット、５  サイネージサーバ、７  サイネージ画像作成記憶部、８  送信制御部、９  制御情報作成記憶部、１０  イーサネット（登録商標）フレームフィルタリング部、１１  変調器、１２  送信器、１３  混合器、１４  放送局、１６  分波器、１７，５３  チューナ、１８  制御情報記憶部、１９，５２  制御部、２０  復調器、２１  画像データ記憶部、２２  映像合成部、３２  ミリ波送信器、３３  マルチチャネル通信システム、３４  マルチチャネル送信器、３５  ミリ波受信器、３６  送信部、３７  マルチチャネル受信器、４０  同軸ケーブル、４２  モニタ、４５  受信器、９６  イーサネット（登録商標）ケーブル。
【図１】
0005722655.tif 000002
【図２】
0005722655.tif 000003
【図３】
0005722655.tif 000004
【図４】
0005722655.tif 000005
【図５】
0005722655.tif 000006
【図６】
0005722655.tif 000007
【図７】
0005722655.tif 000008
【図８】
0005722655.tif 000009
【図９】
0005722655.tif 000010
【図１０】
0005722655.tif 000011
【図１１】
0005722655.tif 000012
【図１２】
0005722655.tif 000013
【図１３】
0005722655.tif 000014
【図１４】
0005722655.tif 000015
【図１５】
0005722655.tif 000016
【図１６】
0005722655.tif 000017